(57)【要約】【課題】本発明は、簡単に製造できる改良されたＤＶＢ−Ｔ受信用アンテナを提供する。【解決手段】ＤＶＢ−Ｔ受信用の改良されたアンテナは、板状の平面アンテナ(1)によりアンテナを構成することにより特徴付けられる。【選択図】図１
2005501451.tif 000002
【特許請求の範囲】
【請求項１】
板状の平面アンテナ(1)によりアンテナを構成したことを特徴とするＤＶＢ−Ｔ受信用アンテナ。
【請求項２】
板状の平面アンテナ(1)の面積の大きさは、比較の対象となるＤＶＢ−Ｔ受信用の横断面にて丸いロッド状アンテナと同一である請求項１に記載のアンテナ。
【請求項３】
実質的に長方形にアンテナを形成した請求項１又は２に記載のアンテナ。
【請求項４】
アンテナは、好ましくは垂直な対称軸又は垂直な対称面(5)に対してずれて配置され、板状の平面アンテナ(1)の長方形の基礎アンテナ部分(9)に隣接するアンテナ面積を拡大する連結部分(7)を有する請求項１〜３の何れか１項に記載のアンテナ。
【請求項５】
アンテナを金属板により構成した請求項１〜４の何れか１項に記載のアンテナ。
【請求項６】
絶縁支持部材(11)上にて好ましくは配線基板状の支持部材材料によりアンテナを構成し、絶縁支持部材(11)の少なくとも一方の面又は側に金属被膜層(3)を設けた請求項１〜４の何れか１項に記載のアンテナ。
【請求項７】
受信機(23)又はその一部は、対向面として使用する関連する受信機(23)を備えた請求項１〜６の何れか１項に記載のアンテナ。
【請求項８】
板状の平面アンテナ(1)を受信機(23)に電気的に接続できかつ機械的に係止可能なプラグ装置(13)を絶縁支持部材(11)上に設けた請求項１〜７の何れか１項に記載のアンテナ。
【請求項９】
アンテナは、スタンド又は設置或いは吊下げ装置を有し又はこれらを解放可能に備え、別体のアンテナケーブルを介して受信機(23)にアンテナを接続でき又は中継器により無線を介して接続できる請求項１〜７の何れか１項に記載のアンテナ。
【請求項１０】
アンテナは、機械的及び電気的に好ましくは同軸プラグ接続を介してスタンド装置又はスタンド脚部に接続され、それからアンテナケーブルが出て受信機(23)にアンテナを接続できる請求項９に記載のアンテナ。
【請求項１１】
アンテナは、特に補強、減衰のため又はフィルタ装置としての能動的又は受動的構成要素を備えたアンテナハウジング及び／又は設置又はスタンド装置を備える請求項９又は１０に記載のアンテナ。
【発明の詳細な説明】
【技術分野】
【０００１】
本発明は、請求項１の前文によるＤＶＢ−Ｔ受信用アンテナに関するものである。
【背景技術】
【０００２】
公知のように、遅くとも２０１０年までに放送信号及びテレビ信号の伝送をアナログ規格からデジタル規格に完全に切り替えることが計画されている。その後、衛星、ケーブル又は地上波を介して発射される番組の映像データ及び音声データのデジタル受信に適するデジタル−ビデオ−放送（ＤＶＢ）規格によって上記伝送が行なわれる。従って、（衛星受信用）ＤＶＢ−Ｓ、（ケーブル受信用）ＤＶＢ−Ｃ又は信号が地上波で発射される場合には、ＤＶＢ−Ｔ法が論議される。
【０００３】
ＤＶＢ−Ｔ受信用受信機は、一般に受信機に備えられた例えば切断位置に取り付けられたロッド状のアンテナを有し、それは受信する周波数スペクトルに対応して所定の長さ及び所定の直径を有しなければならない。従来のロッド状のアンテナは、１２〜１３cmの長さを有する。
【発明の開示】
【発明が解決しようとする課題】
【０００４】
本発明の課題は、従来のアンテナより改良されかつ簡単に製造可能なアンテナを提供することにある。
【課題を解決するための手段】
【０００５】
本発明では、請求項１に示す特徴部分により上記課題を解決することができる。本発明の有利な実施の形態を他の請求項に示す。
【発明の効果】
【０００６】
使用するロッド状の全方向性アンテナとは異なり、本発明は、板状の平面アンテナを提案する。その際、対応するＤＶＢ−Ｔ規格に所与の周波数伝送帯域用の従来のロッドアンテナの表面積に一致する大きさにアンテナの全面積を選定することが好ましい。
【０００７】
本発明の更なる実施の形態では、板状の平面アンテナは、断片状の整合を改良する縁部を備えてもよい。
【０００８】
最後に、少なくとも一方の表面にアンテナ受信面を構成する導電層を備えた配線基板により板状の平面アンテナを形成すると有利であることが判明した。アンテナの配線基板状の基礎材料上にプラグ又はブシュ形態の適宜のインターフェイス(接続装置)を設けて、受信機自体の対応するプラグ接続部に前記アンテナを接続することができる。
【０００９】
別法として、受信機自体又は受信機ハウジングの一部を対向面として使用できる。
【発明を実施するための最良の形態】
【００１０】
本発明の実施の形態を以下詳細に説明する。
【実施例１】
【００１１】
図面は、板状の平面アンテナ(1)を示す。導電性の金属板又は薄板から板状のアンテナ(1)を構成できる。また絶縁体支持部材、例えば配線基板状の支持部材材料(11)からもアンテナ(1)を製造でき、少なくともアンテナ(1)の一方の面に金属導電層(3)が形成される。図示の実施の形態では、板状の平面アンテナは、原則的に長方形に形成される。図示の実施の形態では、垂直な対称軸(5)の左右の下方領域でアンテナ(1)の長方形(6)に隣接して、アンテナ(1)は、結局アンテナ全面積の拡大となる二つの連結領域(7)を有する。
【００１２】
連結面(7)と上方の大きなアンテナ部分(9)との間にて、支持部材材料(11)の非導電性配線基板の領域又は他の領域(10)に形成されるプラグ装置(13)は、電気的接続ライン(15)を介して大きなアンテナ部分(9)に電気的に接続される。
【００１３】
形成された板状の平面アンテナ(1)は、例えば受信機(23)の背面上の適宜のプラグ又はブシュ装置(21)にプラグ装置(13)により装着できる。プラグ装置(13)は、板状のアンテナ(1)を機械的に保持するのみならず、受信機(23)に電気的に接続する。
【００１４】
所与の周波数伝送帯域に対して、従来のロッドアンテナの表面積とほぼ一致するようにアンテナ面積の大きさを選定する。従来のロッドアンテナは、例えば約８０〜９０mmの長さと８〜９mmの直径及び１５cmの長さと１５mm弱の直径までを有する。その際、特に４７０MHz〜８７２MHzのＤＶＢ−Ｔ伝送帯域でアンテナを運転する場合には、アンテナ面積は、全体として例えば１０００mm2〜８０００mm2までの値を有し得る。それに関して、伝送帯域をＶＨＦ帯域の方向に拡大する必要に応じて、より大きい寸法に設定できる。
【００１５】
図示しかつ説明した実施の形態から推察して、例えば受信機に直接にアンテナを装着せずに、別体のスタンド脚部上に配置しかつ／又は装着する変形例も考えられる。その限りでは、固定したスタンド脚部をアンテナに設けてもよい。例えば補強部材をスタンド脚部に設けてもよく、エネルギを供給するアンテナ接続ケーブルを介して受信機にアンテナを接続してもよい。従って、一般的には、受信機から分離してアンテナを配置又は装着でき、その際アンテナケーブルを介して又は中継器により受信機に接続される。
【００１６】
完全に平坦でかつ平滑なアンテナ要素についてアンテナを説明した。しかしながら、アンテナは少なくとも僅かに球面状の湾曲を有し、例えば少なくとも一軸に対して僅かに円筒状の湾曲を有してもよい。しかしながら、平坦な又は僅かに湾曲するアンテナ要素の双方の延伸方向にそれ自体平坦でかつ平滑に保持されたアンテナ要素の縦方向延伸及び横方向延伸は、僅かな延伸よりもこの平面に対して横方向に非常に大きい場合もある。
【図面の簡単な説明】
【００１７】
【図１】本発明によるＤＶＢ−Ｔアンテナの概略側面図
【図２】受信機の背面に装着したアンテナの正面図
【図３】９０度の角度だけずれてアンテナを図２に示す受信機に装着した側面図
【符号の説明】
【００１８】
(1)・・平面アンテナ、  (3)・・金属導電層、  (5)・・垂直対称軸、  (7)・・連結領域、  (9)・・アンテナ部分、  (10)・・非導電性領域、  (11)・・支持部材材料、  (13)・・プラグ装置、  (15)・・電気的接続ライン、  (21)・・プラグ又はブシュ装置、  (23)・・受信機、
【国際公開パンフレット】
2005501451.tif 000003
2005501451.tif 000004
2005501451.tif 000005
2005501451.tif 000006
2005501451.tif 000007
2005501451.tif 000008
2005501451.tif 000009
2005501451.tif 000010
2005501451.tif 000011
2005501451.tif 000012
【国際調査報告】
2005501451.tif 000013
2005501451.tif 000014
2005501451.tif 000015
2005501451.tif 000016